(57)【要約】      （修正有）【課題】ケースを複数の分割体で構成する場合に、製造誤差を考慮しながら、分割体同士の強固な結合と、分割体の間のシール性の確保とを両立させたストレーナを提供する。【解決手段】ストレーナ１は、フィルタ５と、フィルタ５を収容するケース３とを備えており、流入口からケース３内に流入させた流体をフィルタ５を通過させて濾過し、流出口から流出させるように構成されている。ケース３は、ロアケース７とアッパーケース９とを組み合わせてなる。ロアーケース７には、アッパーケース９に結合する係止片部５７が設けられている。ロアケース７とアッパーケース９との少なくとも一方には、他方に圧接するシール部５９が係止片部５７から離れて設けられている。【選択図】図３
2010099646.tif 000002
【特許請求の範囲】
【請求項１】
フィルタと、
上記フィルタを収容するケースとを備え、
上記ケースに形成された流入口から該ケース内に流入させた被処理流体を上記フィルタを通過させて濾過し、該ケースに形成された流出口から流出させるように構成されたストレーナであって、
上記ケースは、第１分割体と第２分割体とを組み合わせてなり、
上記第１分割体には、上記第２分割体に結合する結合部が設けられ、
上記第１及び第２分割体の両合わせ部の少なくとも一方には、他方に圧接するシール部が上記結合部から離れて設けられていることを特徴とするストレーナ。
【請求項２】
請求項１に記載のストレーナにおいて、
第１分割体の結合部は、樹脂により第２分割体に結合され、
シール部は、上記結合部よりもケース内側に位置付けられていることを特徴とするストレーナ。
【請求項３】
フィルタと、
上記フィルタを収容するケースとを備え、
上記ケースに形成された流入口から該ケース内に流入させた被処理流体を上記フィルタを通過させて濾過し、該ケースに形成された流出口から流出させるように構成されたストレーナであって、
上記ケースは、第１分割体と第２分割体とを組み合わせてなり、
上記第１分割体には、上記第２分割体に結合する結合部が設けられ、
上記フィルタと上記第１分割体との少なくとも一方には、他方に圧接するシール部が上記結合部から離れて設けられ、
上記フィルタと上記第２分割体との少なくとも一方には、他方に圧接するシール部が上記結合部から離れて設けられていることを特徴とするストレーナ。
【請求項４】
請求項１から３のいずれか１つに記載のストレーナにおいて、
第１及び第２分割体は、周壁部を有する半割形状をなしており、
上記第１分割体の周壁部には、内側周壁部と、該内側周壁部との間に第１嵌入溝部を形成する外側周壁部とが全周に亘って形成され、
上記第２分割体の周壁部には、内側周壁部と、該内側周壁部との間に第２嵌入溝部を形成する環状突出部とが全周に亘って形成され、
上記第２分割体の環状突出部の外周側側面は、上記第１分割体の外側周壁部の内周側側面と対向するように位置付けられ、
フィルタの外周縁部には、上記第１嵌入溝部に嵌入する第１張出部と、上記第２嵌入溝部に嵌入する第２張出部とが全周に亘って形成され、
上記第２分割体の環状突出部及び上記第１分割体の外側周壁部の互いに対向する側面の一方には、他方に圧接する第１突条シール部が全周に亘って形成され、
上記フィルタの第１張出部及び上記第１分割体の第１嵌入溝部の互いに対向する側面の少なくとも一方には、他方に圧接する第２突条シール部が全周に亘って形成され、
上記フィルタの第２張出部及び上記第２分割体の第２嵌入溝部の互いに対向する側面の少なくとも一方には、他方に圧接する第３突条シール部が全周に亘って形成されていることを特徴とするストレーナ。
【請求項５】
請求項１から３のいずれか１つに記載のストレーナにおいて、
第１及び第２分割体は、周壁部を有する半割形状をなしており、
上記第１分割体の周壁部には、内側周壁部と、該内側周壁部との間に第１嵌入溝部を形成する外側周壁部とが全周に亘って形成され、
上記第２分割体の周壁部には、内側周壁部と、該内側周壁部との間に第２嵌入溝部を形成する環状突出部と、該環状突出部との間に第３嵌入溝部を形成する最外周壁部とが全周に亘って形成され、
上記第２分割体の環状突出部の外周側側面は、上記外側周壁部の内周側側面と対向するように位置付けられ、
上記第２分割体の最外周壁部の内周側側面は、上記外側周壁部の外周側側面と対向するように位置付けられ、
フィルタの外周縁部には、上記第１嵌入溝部に嵌入する第１張出部と、上記第２嵌入溝部に嵌入する第２張出部とが全周に亘って形成され、
上記第１分割体の外側周壁部は、上記第２分割体の第３嵌入溝部に嵌入され、該外側周壁部及び第３嵌入溝部の互いに対向する側面の少なくとも一方には、他方に圧接する第１突条シール部が全周に亘って形成され、
上記フィルタの第１張出部及び上記第１分割体の第１嵌入溝部の互いに対向する側面の少なくとも一方には、他方に圧接する第２突条シール部が全周に亘って形成され、
上記フィルタの第２張出部及び上記第２分割体の第２嵌入溝部の互いに対向する側面の少なくとも一方には、他方に圧接する第３突条シール部が全周に亘って形成されていることを特徴とするストレーナ。
【請求項６】
請求項１から３のいずれか１つに記載のストレーナにおいて、
第１及び第２分割体は、周壁部を有する半割形状をなしており、
上記第１分割体の周壁部には、内側周壁部と、該内側周壁部との間に第１嵌入溝部を形成する外側周壁部とが全周に亘って形成され、
上記第２分割体の周壁部外側には、外周側側面を上記外側周壁部の内周側側面と対向させた環状突出部が上記第１分割体側へ突出するように全周に亘って形成され、
上記フィルタの外周縁部には、上記第１嵌入溝部に嵌入する第１張出部が全周に亘って形成され、
上記第２分割体の環状突出部は、上記第１張出部より外周側に位置するように上記第１嵌入溝部に嵌入され、
上記環状突出部及び上記第１分割体の外側周壁部の互いに対向する側面の一方には、他方に圧接する第１突条シール部が全周に亘って形成され、
上記フィルタの第１張出部及び上記第１分割体の内側周壁部の互いに対向する側面の一方、及び上記第１張出部及び上記第２分割体の環状突出部の互いに対向する側面の一方には、それぞれ、他方に圧接する第２突条シール部が全周に亘って形成されていることを特徴とするストレーナ。
【請求項７】
請求項１から３のいずれか１つに記載のストレーナにおいて、
第１及び第２分割体は、周壁部を有する半割形状をなしており、
上記第１分割体の周壁部には、内側周壁部と、該内側周壁部との間に第１嵌入溝部を形成する外側周壁部とが全周に亘って形成され、
上記第２分割体の周壁部には、内側周壁部と、該内側周壁部との間に第２嵌入溝部を形成する外側周壁部とが全周に亘って形成され、
フィルタの外周縁部には、上記第１嵌入溝部に嵌入する第１張出部と、上記第２嵌入溝部に嵌入する第２張出部とが全周に亘って形成され、
上記第１分割体の第１嵌入溝部の内側側面及び上記フィルタの第１張出部の内側側面の一方には、他方に圧接する第１内周突条シール部が全周に亘って形成され、
上記第１嵌入溝部の外側側面及び上記第１張出部の外側側面の一方には、他方に圧接する第１外周突条シール部が全周に亘って形成され、
上記第２分割体の第２嵌入溝部の内側側面及び上記フィルタの第２張出部の内側側面の一方には、他方に圧接する第２内周突条シール部が全周に亘って形成され、
上記第２嵌入溝部の外側側面及び上記第２張出部の外側側面の一方には、他方に圧接する第２外周突条シール部が全周に亘って形成されていることを特徴とするストレーナ。
【請求項８】
請求項１から３のいずれか１つに記載のストレーナにおいて、
第１及び第２分割体は、周壁部を有する半割形状をなしており、
上記第１分割体の周壁部には、内側周壁部と、該内側周壁部との間に第１嵌入溝部を形成する外側周壁部とが全周に亘って形成され、
上記第２分割体の周壁部には、内側周壁部と、該内側周壁部との間に第２嵌入溝部を形成する外側周壁部とが全周に亘って形成され、
上記第１分割体と第２分割体との一方の外側周壁部端面には、凹部が全周に亘って形成されている一方、他方の外側周壁部端面には、上記凹部の開口端縁に圧接する凸部が全周に亘って形成され、
上記フィルタの外周縁部には、上記第１嵌入溝部に嵌入する第１張出部と、上記第２嵌入溝部に嵌入する第２張出部とが全周に亘って形成され、
上記第１分割体の第１嵌入溝部及び上記フィルタの第１張出部の互いに対向する内側側面及び外側側面の少なくとも一方において上記第１嵌入溝部側又は第１張出部側には、第１突条シール部が相手側と圧接するように全周に亘って形成され、
上記第２分割体の第２嵌入溝部及び上記フィルタの第２張出部の互いに対向する内側側面及び外側側面の少なくとも一方において上記第２嵌入溝部側又は第２張出部側には、第２突条シール部が相手側と圧接するように全周に亘って形成されていることを特徴とするストレーナ。
【請求項９】
請求項１または２に記載のストレーナにおいて、
第１及び第２分割体は、周壁部を有する半割形状をなしており、
上記第１分割体の周壁部における開放端縁側には、突起部と、該突起部の外側方で延出して該突起部との間に第１嵌入溝部を有し、該突起部よりも開放側に延出する第１延出壁部とが全周に亘って形成されているとともに、上記第１嵌入溝部の内側側面は溝幅が開放側に行くに従って漸次広くなるように傾斜して形成され、
一方、上記第２分割体の周壁部における開放端縁側には、上記突起部よりも外側方で開放側に延出して上記第１嵌入溝部に嵌入され、開放側内側端縁が第１嵌入溝部の上記内側側面に圧接する第２延出壁部と、該第２延出壁部の外側方で開放側に延出して第２延出壁部との間に上記第１延出壁部が嵌入される第２嵌入溝部を有する第３延出壁部が全周に亘って形成され、
上記第２嵌入溝部及び第１延出壁部の互いに対向する内側側面及び外側側面の一方における上記第２嵌入溝部側又は第１延出壁部側には、相手側と圧接して上記第２延出壁部の開放側内側端縁を第１嵌入溝部の上記内側側面に圧接させる突条シール部が全周に亘って形成され、
上記第２嵌入溝部及び第１延出壁部の互いに対向する内側側面及び外側側面の他方が互いに圧接していることを特徴とするストレーナ。
【発明の詳細な説明】
【技術分野】
【０００１】
本発明は、例えば自動変速機や内燃機関の内部を循環するオイル等の被処理流体を濾過するためのストレーナに関する。
【背景技術】
【０００２】
従来より、この種のストレーナとして、フィルタと、フィルタを収容するケースとを備え、ケースに形成された流入孔からケース内部に流入させたオイルを、フィルタを通過させて濾過した後、ケースに形成された流出孔から流出させるように構成されたものが知られている（例えば、特許文献１参照）。
【０００３】
特許文献１のストレーナのケースは、上下に２分割され、共に凹形状に形成された上側分割体と下側分割体とを組み合わせてなる。上側分割体の周壁部は、下側分割体の周壁部の内側に嵌合するように形成されている。上側分割体の周壁部の外側面には、凸条部が形成されている。下側分割体の周壁部の内側面には、凸条部が嵌る形状の凹条部が形成されている。凸条部が凹条部に嵌った状態で、上側分割体と下側分割体とが結合されるとともに、両分割体の間がシールされるようになっている。
【特許文献１】特開２００７−５４６８７号公報
【発明の開示】
【発明が解決しようとする課題】
【０００４】
ところが、特許文献１のストレーナでは、単一の凸条部及び凹条部により、両分割体の結合と、両分割体の間のシールとの両方を行わせるようにしているので、凸条部及び凹条部の形状を、両分割体の結合に適した形状とした場合にはシール性の確保に不利な形状となることが考えられ、逆に、シール性に有利な形状とした場合には両分割体の結合に不利な形状となることが考えられる。
【０００５】
さらに、特許文献１のケースを構成する分割体には、通常、公差範囲内で製造誤差が生じることがあるので、これを考慮して凸条部及び凹条部の形状設定を行う必要があり、形状設定の上での制約は多い。
【０００６】
本発明は斯かる点に鑑みてなされたものであり、その目的とするところは、ケースを複数の分割体で構成する場合に、製造誤差を考慮しながら、分割体同士の強固な結合と、分割体の間のシール性の確保とを両立させることにある。
【課題を解決するための手段】
【０００７】
上記目的を達成するために、第１の発明では、
フィルタと、
上記フィルタを収容するケースとを備え、
上記ケースに形成された流入口から該ケース内に流入させた被処理流体を上記フィルタを通過させて濾過し、該ケースに形成された流出口から流出させるように構成されたストレーナであって、
上記ケースは、第１分割体と第２分割体とを組み合わせてなり、
上記第１分割体には、上記第２分割体に結合する結合部が設けられ、
上記第１及び第２分割体の両合わせ部の少なくとも一方には、他方に圧接するシール部が上記結合部から離れて設けられている構成とする。
【０００８】
第２の発明では、第１の発明において、
第１分割体の結合部は、樹脂により第２分割体に結合され、
シール部は、上記結合部よりもケース内側に位置付けられている構成とする。
【０００９】
第３の発明では、
フィルタと、
上記フィルタを収容するケースとを備え、
上記ケースに形成された流入口から該ケース内に流入させた被処理流体を上記フィルタを通過させて濾過し、該ケースに形成された流出口から流出させるように構成されたストレーナであって、
上記ケースは、第１分割体と第２分割体とを組み合わせてなり、
上記第１分割体には、上記第２分割体に結合する結合部が設けられ、
上記フィルタと上記第１分割体との少なくとも一方には、他方に圧接するシール部が上記結合部から離れて設けられ、
上記フィルタと上記第２分割体との少なくとも一方には、他方に圧接するシール部が上記結合部から離れて設けられている構成とする。
【００１０】
第４の発明では、第１から３のいずれか１つの発明において、
第１及び第２分割体は、周壁部を有する半割形状をなしており、
上記第１分割体の周壁部には、内側周壁部と、該内側周壁部との間に第１嵌入溝部を形成する外側周壁部とが全周に亘って形成され、
上記第２分割体の周壁部には、内側周壁部と、該内側周壁部との間に第２嵌入溝部を形成する環状突出部とが全周に亘って形成され、
上記第２分割体の環状突出部の外周側側面は、上記第１分割体の外側周壁部の内周側側面と対向するように位置付けられ、
フィルタの外周縁部には、上記第１嵌入溝部に嵌入する第１張出部と、上記第２嵌入溝部に嵌入する第２張出部とが全周に亘って形成され、
上記第２分割体の環状突出部及び上記第１分割体の外側周壁部の互いに対向する側面の一方には、他方に圧接する第１突条シール部が全周に亘って形成され、
上記フィルタの第１張出部及び上記第１分割体の第１嵌入溝部の互いに対向する側面の少なくとも一方には、他方に圧接する第２突条シール部が全周に亘って形成され、
上記フィルタの第２張出部及び上記第２分割体の第２嵌入溝部の互いに対向する側面の少なくとも一方には、他方に圧接する第３突条シール部が全周に亘って形成されている構成とする。
【００１１】
第５の発明では、第１から３のいずれか１つの発明において、
第１及び第２分割体は、周壁部を有する半割形状をなしており、
上記第１分割体の周壁部には、内側周壁部と、該内側周壁部との間に第１嵌入溝部を形成する外側周壁部とが全周に亘って形成され、
上記第２分割体の周壁部には、内側周壁部と、該内側周壁部との間に第２嵌入溝部を形成する環状突出部と、該環状突出部との間に第３嵌入溝部を形成する最外周壁部とが全周に亘って形成され、
上記第２分割体の環状突出部の外周側側面は、上記外側周壁部の内周側側面と対向するように位置付けられ、
上記第２分割体の最外周壁部の内周側側面は、上記外側周壁部の外周側側面と対向するように位置付けられ、
フィルタの外周縁部には、上記第１嵌入溝部に嵌入する第１張出部と、上記第２嵌入溝部に嵌入する第２張出部とが全周に亘って形成され、
上記第１分割体の外側周壁部は、上記第２分割体の第３嵌入溝部に嵌入され、該外側周壁部及び第３嵌入溝部の互いに対向する側面の少なくとも一方には、他方に圧接する第１突条シール部が全周に亘って形成され、
上記フィルタの第１張出部及び上記第１分割体の第１嵌入溝部の互いに対向する側面の少なくとも一方には、他方に圧接する第２突条シール部が全周に亘って形成され、
上記フィルタの第２張出部及び上記第２分割体の第２嵌入溝部の互いに対向する側面の少なくとも一方には、他方に圧接する第３突条シール部が全周に亘って形成されている構成とする。
【００１２】
第６の発明では、第１から３のいずれか１つの発明において、
第１及び第２分割体は、周壁部を有する半割形状をなしており、
上記第１分割体の周壁部には、内側周壁部と、該内側周壁部との間に第１嵌入溝部を形成する外側周壁部とが全周に亘って形成され、
上記第２分割体の周壁部外側には、外周側側面を上記外側周壁部の内周側側面と対向させた環状突出部が上記第１分割体側へ突出するように全周に亘って形成され、
上記フィルタの外周縁部には、上記第１嵌入溝部に嵌入する第１張出部が全周に亘って形成され、
上記第２分割体の環状突出部は、上記第１張出部より外周側に位置するように上記第１嵌入溝部に嵌入され、
上記環状突出部及び上記第１分割体の外側周壁部の互いに対向する側面の一方には、他方に圧接する第１突条シール部が全周に亘って形成され、
上記フィルタの第１張出部及び上記第１分割体の内側周壁部の互いに対向する側面の一方、及び上記第１張出部及び上記第２分割体の環状突出部の互いに対向する側面の一方には、それぞれ、他方に圧接する第２突条シール部が全周に亘って形成されている構成とする。
【００１３】
第７の発明では、第１から３のいずれか１つの発明において、
第１及び第２分割体は、周壁部を有する半割形状をなしており、
上記第１分割体の周壁部には、内側周壁部と、該内側周壁部との間に第１嵌入溝部を形成する外側周壁部とが全周に亘って形成され、
上記第２分割体の周壁部には、内側周壁部と、該内側周壁部との間に第２嵌入溝部を形成する外側周壁部とが全周に亘って形成され、
フィルタの外周縁部には、上記第１嵌入溝部に嵌入する第１張出部と、上記第２嵌入溝部に嵌入する第２張出部とが全周に亘って形成され、
上記第１分割体の第１嵌入溝部の内側側面及び上記フィルタの第１張出部の内側側面の一方には、他方に圧接する第１内周突条シール部が全周に亘って形成され、
上記第１嵌入溝部の外側側面及び上記第１張出部の外側側面の一方には、他方に圧接する第１外周突条シール部が全周に亘って形成され、
上記第２分割体の第２嵌入溝部の内側側面及び上記フィルタの第２張出部の内側側面の一方には、他方に圧接する第２内周突条シール部が全周に亘って形成され、
上記第２嵌入溝部の外側側面及び上記第２張出部の外側側面の一方には、他方に圧接する第２外周突条シール部が全周に亘って形成されている構成とする。
【００１４】
第８の発明では、第１から３のいずれか１つの発明において、
第１及び第２分割体は、周壁部を有する半割形状をなしており、
上記第１分割体の周壁部には、内側周壁部と、該内側周壁部との間に第１嵌入溝部を形成する外側周壁部とが全周に亘って形成され、
上記第２分割体の周壁部には、内側周壁部と、該内側周壁部との間に第２嵌入溝部を形成する外側周壁部とが全周に亘って形成され、
上記第１分割体と第２分割体との一方の外側周壁部端面には、凹部が全周に亘って形成されている一方、他方の外側周壁部端面には、上記凹部の開口端縁に圧接する凸部が全周に亘って形成され、
上記フィルタの外周縁部には、上記第１嵌入溝部に嵌入する第１張出部と、上記第２嵌入溝部に嵌入する第２張出部とが全周に亘って形成され、
上記第１分割体の第１嵌入溝部及び上記フィルタの第１張出部の互いに対向する内側側面及び外側側面の少なくとも一方において上記第１嵌入溝部側又は第１張出部側には、第１突条シール部が相手側と圧接するように全周に亘って形成され、
上記第２分割体の第２嵌入溝部及び上記フィルタの第２張出部の互いに対向する内側側面及び外側側面の少なくとも一方において上記第２嵌入溝部側又は第２張出部側には、第２突条シール部が相手側と圧接するように全周に亘って形成されている構成とする。
【００１５】
第９の発明では、第１または２の発明において、
第１及び第２分割体は、周壁部を有する半割形状をなしており、
上記第１分割体の周壁部における開放端縁側には、突起部と、該突起部の外側方で延出して該突起部との間に第１嵌入溝部を有し、該突起部よりも開放側に延出する第１延出壁部とが全周に亘って形成されているとともに、上記第１嵌入溝部の内側側面は溝幅が開放側に行くに従って漸次広くなるように傾斜して形成され、
一方、上記第２分割体の周壁部における開放端縁側には、上記突起部よりも外側方で開放側に延出して上記第１嵌入溝部に嵌入され、開放側内側端縁が第１嵌入溝部の上記内側側面に圧接する第２延出壁部と、該第２延出壁部の外側方で開放側に延出して第２延出壁部との間に上記第１延出壁部が嵌入される第２嵌入溝部を有する第３延出壁部が全周に亘って形成され、
上記第２嵌入溝部及び第１延出壁部の互いに対向する内側側面及び外側側面の一方における上記第２嵌入溝部側又は第１延出壁部側には、相手側と圧接して上記第２延出壁部の開放側内側端縁を第１嵌入溝部の上記内側側面に圧接させる突条シール部が全周に亘って形成され、
上記第２嵌入溝部及び第１延出壁部の互いに対向する内側側面及び外側側面の他方が互いに圧接している構成とする。
【発明の効果】
【００１６】
第１の発明によれば、第１分割体に、第２分割体に結合する結合部を設け、第１及び第２分割体の両合わせ部の一方に、他方に圧接するシール部を上記結合部から離して設けたので、結合部の形状設定及びシール部の形状設定を個別に、かつ、適切に行うことができる。よって、製造誤差を考慮しながら、分割体同士の強固な結合と、両分割体の間のシール性の確保とを両立させることができる。
【００１７】
第２の発明によれば、シール部が結合部よりもケース内側に位置しているので、ケースの製造時に溶融状態の樹脂を用いて両分割体を結合する場合に、樹脂がケース内部に流入するのをシール部を利用して阻止することができる。
【００１８】
第３の発明によれば、第１分割体に、第２分割体に結合する結合部を設け、フィルタと第１分割体との少なくとも一方にシール部を結合部から離して設け、フィルタと第２分割体との少なくとも一方にシール部を結合部から離して設けたので、結合部の形状設定及びシール部の形状設定を個別に、かつ、適切に行うことができる。よって、製造誤差を考慮しながら、分割体同士の強固な結合と、両分割体の間のシール性の確保とを両立させることができる。
【００１９】
第４の発明によれば、第２分割体の環状突出部及び第１分割体の外側周壁部の互いに対向する側面が第１突条シール部によりシールされていることに加え、フィルタの第１張出部及び第１分割体の第１嵌入溝部の互いに対向する側面が第２突条シール部によりシールされているとともに、フィルタの第２張出部及び第２分割体の第２嵌入溝部の互いに対向する側面が第３突条シール部によりシールされているので、この２段階のシール構造により、第１分割体と第２分割体との間のシール性をより一層高めることができる。
【００２０】
第５の発明によれば、第１分割体の外側周壁部及び第２分割体の第３嵌入溝部の互いに対向する側面が第１突条シール部によりシールされていることに加え、フィルタの第１張出部及び第１分割体の第１嵌入溝部の互いに対向する側面が第２突条シール部によりシールされているとともに、フィルタの第２張出部及び第２分割体の第２嵌入溝部の互いに対向する側面が第３突条シール部によりシールされているので、この２段階のシール構造により、第１分割体と第２分割体との間のシール性をより一層高めることができる。
【００２１】
第６の発明によれば、第２分割体の環状突出部及び第１分割体の外側周壁部の互いに対向する側面が第１突条シール部によりシールされていることに加え、フィルタの第１張出部及び第１分割体の内側周壁部の互いに対向する側面、及びフィルタの第１張出部及び第２分割体の環状突出部の互いに対向する側面が第２突条シール部によりシールされているので、この２段階のシール構造により、第１分割体と第２分割体との間のシール性をより一層高めることができる。
【００２２】
第７の発明によれば、第１分割体の第１嵌入溝部及びフィルタの第１張出部の内側側面間と外側側面間との２箇所が、第１内周突条シール部及び第２外周突条シール部の圧接により内外２重にシールされているとともに、第２分割体の第２嵌入溝部及びフィルタの第２張出部の内側側面間と外側側面間との２箇所が、第２内周突条シール部及び第２外周突条シール部の圧接により内外２重にシールされているので、これら２段階のシール構造により、第１分割体と第２分割体との間のシール性をより一層高めることができる。
【００２３】
第８の発明によれば、第１分割体の第１嵌入溝部及びフィルタの第１張出部の内側側面間及び外側側面間の少なくとも一方が第１突条シール部の圧接によりシールされているとともに、第２分割体の第２嵌入溝部及びフィルタの第２張出部の内側側面間及び外側側面間の少なくとも一方が第２突条シール部の圧接によりシールされている。また、第１分割体及び第２分割体の外側周壁部端面間が、一方に突設された凸部を他方に形成された凹部の開口端縁に圧接させることによりシールされている。したがって、これら少なくとも２段階のシール構造、即ち、上記突条シール部及び凸部により、第１分割体と第２分割体との間のシール性をより一層高めることができる。
【００２４】
第９の発明によれば、突条シール部を形成したことにより第２分割体の第２延出壁部が第１分割体の第１延出壁部によって内側方向へ押圧され、第２延出壁部の開放側内側端縁が第１嵌入溝部の内側側面に強く圧接され、第２延出壁部の開放側内側端縁と第１嵌入溝部の内側側面との間がシールされる。また、第２分割体の第２嵌入溝部及び第１分割体の第１延出壁部の内側側面及び外側側面の一方に突条シール部を形成したことにより、該内側側面及び外側側面の他方における側面同士が互いに圧接されて当該側面間がシールされる。したがって、これら少なくとも２段階のシール構造により、第１分割体と第２分割体との間のシール性をより一層高めることができる。
【発明を実施するための最良の形態】
【００２５】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００２６】
《発明の実施形態１》
図１〜３は、本発明の実施形態１に係るオイルストレーナ１を示す。このオイルストレーナ１は、箱状のケース３と該ケース３内部に収容されるフィルタ５とを備えており、図示しないエンジンのオイルパン内に配置され、シリンダブロックに取り付けられる。
【００２７】
上記ケース３は、水平方向に長く延びるように形成されており、上下方向に２分割されたロアケース（第１分割体）７と、アッパーケース（第２分割体）９とを備えている。これらロアケース７と、アッパーケース９とは、樹脂を成形してなるものである。ロアケース７は、凹状のロアケース本体１１を有しており、アッパーケース９は、凹状のアッパーケース本体１３を有している。
【００２８】
上記ロアケース本体１１は、底壁部１５と該底壁部１５を囲む第１周壁部１７とで断面コ字状に形成されている。一方、アッパーケース本体１３は、頂壁部２１と該頂壁部２１を囲む第２周壁部２３とで断面コ字状に形成されている。また、上記ロアケース本体１１の底壁部１５の長手方向一端近傍には流入口２８が形成され、該流入口２８周縁には、筒状流入管部２７が下方に向かって一体に突設されている。一方、上記アッパーケース本体１３の頂壁部２１における長手方向反流入管部２７側の一端近傍には、円環状突出部２９が上方に向かって一体に突設されている。該円環状突出部２９は、大径筒部３０と該大径筒部３０の上部から上方に延びる小径筒部３１とから構成され、円環状突出部２９の内部空間によって後述の流路６９に連通する流出口２９ａが構成されている。
【００２９】
また、大径筒部３０の外側方上端近傍には、板状突出片部３３が突設され、該突出片部３３先端近傍には、ボルト等の締結部材（図示せず）が挿通される挿通孔３５ａを有する筒部３５が形成されている。該筒部３５は、挿通孔３５ａに挿通したボルトによりエンジンのオイル吸入口（図示せず）の周縁部に固定される。
【００３０】
図３に示すように、上記ロアケース本体１１の第１周壁部１７外周側側面の開放端縁部１９から反開放側に離れた位置には、板状第１フランジ部３７が、外側方に向かって全周に亘って張出して形成されている。該第１フランジ部３７の張出方向先端には、外側周壁部３９が全周に亘って開放側に向かって略垂直に突設され、該外側周壁部３９の先端側略半分の部分（以下、先端側部分３９ａと呼ぶ）がロアケース本体１１の開放端から突出している。先端側部分３９ａの先端は、弾性変形可能なように先細り形状に形成され、該先端の内外両側面の傾斜度合いが異なっている。また、先端側部分３９ａの突出方向中程の内周側側面には、第１突条シール部５９が全周に亘って一体に形成されている。また、上記第１周壁部１７の上記第１フランジ部３７より上側の部分が開放端縁部１９を先端縁部とする内側周壁部１８を構成している。外側周壁部３９の基端側略半分の部分（以下、基端側部分３９ｂと呼ぶ）と上記内側周壁部１８との間には第１嵌入溝部４１が全周に亘って形成されている。先端側部分３９ａは基端側部分３９ｂよりも外側方に位置し、先端側部分３９ａ及び基端側部分３９ｂの境界部分の内周側には、段差部３９ｃが全周に亘って形成されている。また、先端側部分３９ａ及び基端側部分３９ｂの境界部分の外周には、図２にも示すように、挿入孔５５を有する８つの係止片部（結合部）５７が周方向に所定の間隔をあけて突設されている。
【００３１】
一方、上記アッパーケース本体１３の第２周壁部２３には、板状第２フランジ部４９が、第２周壁部２３の開放端縁部２５から反開放側に離れた位置に上記第１フランジ部３７よりも長い張出寸法で外側方に向かって全周に亘って張出して形成されている。該第２フランジ部４９の張出方向中程には、環状突出部５１が上記ロアケース７側へ突出するように全周に亘って形成されている。また、上記第２周壁部２３の上記第２フランジ部４９よりも開放側の部分が開放端縁部２５を先端縁部とする内側周壁部２４を構成している。上記環状突出部５１と上記内側周壁部２４との間には第２嵌入溝部５３が全周に亘って形成され、環状突出部５１の突出端面５１ａは、第２周壁部２３の開放端縁部２５の端面と面一になっている。
【００３２】
そして、上記第１嵌入溝部４１と第２嵌入溝部５３とは対向して形成されている。即ち、第１嵌入溝部４１の内側周壁部１８側面と第２嵌入溝部５３の内側周壁部２４側面とが面一になるように形成されているとともに、第１嵌入溝部４１の外側周壁部３９側面と第２嵌入溝部５３の環状突出部５１側面とが面一になるように形成されている。
【００３３】
また、上記第２フランジ部４９の張出方向先端には、最外周壁部４３が全周に亘って上記環状突出部５１と略平行に開放側に向かって突設されている。該最外周壁部４３と上記環状突出部５１との間には、上記ロアケース７の外側周壁部３９の先端側部分３９ａが嵌入される第３嵌入溝部４５が全周に亘って形成され、最外周壁部４３の突出端面４３ａは、環状突出部５１の突出端面５１ａと面一になっている。また、最外周壁部４３の先端には、図２にも示すように、上記係止片部５７の挿入孔５５に対応するように８つの抜け止め爪部４７が周方向に所定の間隔をあけて突設されている。
【００３４】
上記フィルタ５は樹脂製のもので板状フィルタ本体６１を有し、該フィルタ本体６１にはオイル通過用の多数の細孔６１ａが貫通して形成されている。フィルタ本体６１の外周縁部には、板状第１張出部６３が上記ロアケース７の第１嵌入溝部４１に嵌入するように全周に亘って上記フィルタ本体６１に対して略垂直に張出して形成されている。また、フィルタ本体６１の外周縁部には、板状第２張出部６５が上記アッパーケース９の第２嵌入溝部５３に嵌入するように全周に亘って上記フィルタ本体６１に対して略垂直に張出して形成されている。上記第１張出部６３及び第２張出部６５の内周面は互いに面一になるように形成されているとともにその外周面同士も面一になるように形成されている。上記第１張出部６３及び第２張出部６５の先端は、弾性変形可能なように先細り形状となっている。また、上記第１張出部６３の内周側側面及び外周側側面の張出方向中程には、第１嵌入溝部４１の両側面にそれぞれ圧接する第２突条シール部６７，６７が全周に亘って一体に形成されている。同様に、上記第２張出部６５の内周側側面及び外周側側面の張出方向中程には、第２嵌入溝部５３の両側面にそれぞれ圧接する第３突条シール部６８，６８が全周に亘って一体に形成されている。
【００３５】
そして、上記ロアケース本体１１とアッパーケース本体１３とを内部に流路６９が形成されるように各々の開放側を向かい合わせ、上記フィルタ本体６１の外周縁部を上記ロアケース本体１１及びアッパーケース本体１３の第１及び第２周壁部１７，２３の開放端縁部１９，２５で挟持した状態で、上記アッパーケース９の抜け止め爪部４７がロアケース７の係止片部５７の挿入孔５５に挿入されて該挿入孔５５周縁に係止された状態で結合し、オイルストレーナ１が組み立てられている。
【００３６】
このように組み立てられたオイルストレーナ１では、上記ロアケース７の外側周壁部３９の先端側部分３９ａが上記アッパーケース９の第３嵌入溝部４５に嵌入して、先端側部分３９ａの内周側側面が上記アッパーケース９の環状突出部５１の外周側側面と対向しているとともに、先端側部分３９ａの外周側側面が上記アッパーケース９の最外周壁部４３の内周側側面に対向している。また、先端側部分３９ａ内周側側面の第１突条シール部５９が、環状突出部５１の外周側側面に圧接している。一方、先端側部分３９ａの外周側側面は、上記アッパーケース９の最外周壁部４３の内周側側面に圧接している。また、先端側部分３９ａの先端が、第３嵌入溝部４５の底面に圧接している。さらに、フィルタ５の第１張出部６３が上記ロアケース７の第１嵌入溝部４１に嵌入して、該第１張出部６３の内外両側面の第２突条シール部６７が、第１嵌入溝部４１の両側面、すなわち、内側周壁部１８の外周側側面及び外側周壁部３９の基端側部分３９ｂの内周側側面に圧接しているとともに、第１張出部６３の先端が、第１嵌入溝部４１の底面に圧接している。また、フィルタ５の第２張出部６５が上記アッパーケース９の第２嵌入溝部５３に嵌入して、該第２張出部６５の内外両側面の第３突条シール部６８が、上記第２嵌入溝部５３の内外両側面、すなわち内側周壁部２４の外周側側面及び環状突出部５１の内周側側面に圧接しているとともに、第２張出部６５の先端が、第２嵌入溝部５３の底面に圧接している。
【００３７】
上記のように構成したオイルストレーナ１はオイルパン内に収容され、上記筒部３５にボルトを締結することによりエンジンに取り付けられる。この状態でエンジンが始動するとオイルパン内のオイルが筒状流入管部２７から吸入されてフィルタ５の細孔６１ａを通過して濾過され、流出口２９ａから流出してオイルポンプを経てエンジンの摺動部に供給される。
【００３８】
本実施形態においては、このような第１突条シール部５９、第２突条シール部６７、及び第３突条シール部６８による３段階のシール構造により、特許文献１の場合に比べて、ロアケース７とアッパーケース９との間のシール性が確実に得られる。また、第１張出部６３の先端が、第１嵌入溝部４１の底面に圧接しているとともに、第２張出部６５の先端が、第２嵌入溝部５３の底面に圧接しているので、シール性がより一層確実なものとなる。詳しくは、オイルポンプによるオイルの吸引中には、オイルパンのオイルがオイルポンプの吸引力によってロアケース７とアッパーケース９との接合部の隙間からオイルストレーナ１の流路６９に流入することが防止され、その結果、濾過されていないオイルのエンジンへの供給が防止される。また、オイルポンプ（エンジン）回転数が急減速した場合にも、逆流したオイルがロアケース７とアッパーケース９との隙間からオイルストレーナ１の外部に漏れることが防止される。
【００３９】
以上説明したように、この実施形態１に係るオイルストレーナ１によれば、第１突条シール部５９、第２突条シール部６７、及び第３突条シール部６８と、係止片部５７及び抜け止め爪部４７とを離して設けたので、係止片部５７及び抜け止め爪部４７の形状設定と、第１突条シール部５９、第２突条シール部６７、及び第３突条シール部６８の形状設定とを個別に、かつ、適切に行うことができる。よって、製造誤差を考慮しながら、ロアケース７とアッパーケース９との強固な結合と、両ケース７，９の間のシール性の確保とを両立させることができる。
【００４０】
上記実施形態では、ロアケース７に結合部としての係止片部５７を設け、アッパーケース９に設けた抜け止め爪部４７を係止片部５７に係止することで両ケース７，９を結合するようにしたが、これに限らず、例えば、図４に示す実施形態１の変形例のように、係止片部５７及び抜け止め爪部４７を省略し、樹脂Ａにより両ケース７，９を結合するようにしてもよい。
【００４１】
すなわち、ロアケース７の外側周壁部３９の先端側部分３９ａ及び基端側部分３９ｂの境界部分の外周には、外方へ向けて突出して周方向に連続して延びる突出部２０が形成されている。突出部２０には、上方に開放する樹脂充填溝２０ａが周方向に連続して形成されている。一方、アッパーケース９の最外周壁部４３の先端側には、突出部２０に沿うように外方へ向けて突出して周方向に連続して延びる突出部２６が形成されている。最外周壁部４３の先端面には、下方に開放する樹脂充填溝２６ａが周方向に連続して形成されている。突出部２０の外周部には、樹脂充填溝２０ａに連通する樹脂通路２０ｂが周方向の一部に形成されている。樹脂充填溝２６ａの開放部分と樹脂充填溝２０ａの開放部分とは一致しており、これら樹脂充填溝２０ａ，２６ａにより樹脂充填空間が形成されるようになっている。樹脂充填溝２０ａ，２６ａに充填された樹脂により、ロアケース７とアッパーケース９とが結合されている。ロアケース７の突出部２０が本発明の結合部である。
【００４２】
この変形例に係るオイルストレーナ１を製造する場合について説明する。図示しない成形型によりロアケース７及びアッパーケース９を別々に成形した後、型開きして脱型することなく、可動型を動かしてロアケース７とアッパーケース９とを合わせ、その後、型閉じした状態で溶融樹脂を樹脂通路２０ｂから樹脂充填溝２０ａ，２６ａに流入させて固化させる。このような製造方法は、周知のＤＳＩ（ダイ・スライド・インジェクション）工法や、ＤＲＩ（ダイ・ロータリー・インジェクション）工法を用いることで可能である。
【００４３】
樹脂充填溝２０ａ，２６ａに樹脂を充填する際には、樹脂が充填圧によってケース３内に向けて流れようとするが、上述の如くロアケース７とアッパーケース９との間のシール性が確保されているので、樹脂Ａがケース３の内部に達することはない。よって、成形不良の発生を防止できる。
【００４４】
また、上記実施形態１では、フィルタ５の第２張出部６５の両側面に第３突条シール部６８を形成したが、該第３突条シール部６８は、第２張出部６５の両側面に圧接するように第２嵌入溝部５３の両側面に突設してもよい。
【００４５】
《発明の実施形態２》
図５は、本発明の実施形態２に係るオイルストレーナ１を示す。実施形態１では外側周壁部３９及び第１嵌入溝部４１をロアケース７に形成したが、この実施形態２では、アッパーケース９に形成している。外側周壁部３９の突出端面３９ｄは内側周壁部１８の開放側端面と面一になっている。また、抜け止め爪部４７が外側周壁部３９先端に形成されている。ロアケース本体１１の開放端縁部１９には第１フランジ部３７が外側方に向かって張出して突設され、該第１フランジ部３７の端部に環状突出部５１が全周に亘って第１嵌入溝部４１へ向けて突設されている。また、フィルタ５のフィルタ本体６１には、アッパーケース９側に第１張出部６３だけが形成されている。そして、ロアケース７の環状突出部５１が、上記フィルタ５の第１張出部６３より外周側に位置するように上記アッパーケース９の第１嵌入溝部４１に嵌入されて第１張出部６３と並設されている。また、上記フィルタ５の第１張出部６３の外周側側面の第２突条シール部６７が、環状突出部５１の内周側側面に圧接している。また、第１張出部６３の先端は平坦な形状で第１嵌入溝部４１に当接していない。そのほかの構成は実施形態１と同じであるので、同一の構成箇所には同一の符号を付してその詳細な説明を省略する。
【００４６】
上記環状突出部５１の外周側側面及び外側周壁部３９の内周側側面が外側周壁部３９の第１突条シール部５９によりシールされていることに加え、フィルタ５の第１張出部６３の内周側側面と内側周壁部１８（第２周壁部２３）の外周側側面（第１嵌入溝部４１の内側側面）とが第２突条シール部６７によってシールされた２段階のシール構造、及び第１張出部６３の外周側側面と環状突出部５１の内周側側面とが第２突条シール部６７によってシールされた２段階のシール構造により、ロアケース７とアッパーケース９との間のシール性を高めることができる。
【００４７】
以上説明したように、この実施形態２に係るオイルストレーナ１によれば、第１突条シール部５９及び第２突条シール部６７と、係止片部５７及び抜け止め爪部４７とを離して設けたので、実施形態１のものと同様に、ロアケース７とアッパーケース９との強固な結合と、両ケース７，９の間のシール性の確保とを両立させることができる。
【００４８】
また、本実施形態では、最外周壁部４３を設けないので、上記実施形態１に比べてオイルストレーナ１を小型化することができる。
【００４９】
また、図６に示す変形例のように、実施形態１の変形例と同様な突出部２０，２６をロアケース７及びアッパーケース９に設け、樹脂充填溝２０ａ，２６ａに溶融状態の樹脂を充填させて両ケース７，９を樹脂Ａにより結合させるようにしてもよい。
【００５０】
《発明の実施形態３》
図７は、本発明の実施形態３に係るオイルストレーナ１を示す。この実施形態３では、実施形態１に比べて、第１嵌入溝部４１の溝幅が広く、外側周壁部３９の突出寸法が短く、段差部３９ｃが形成されていない。また、最外周壁部４３及び環状突出部５１を有する第２フランジ部４９がアッパーケース本体１３の開放端縁部２５から外側方に張出して突設されている。さらに、フィルタ５のフィルタ本体６１には、ロアケース７側に向けて延びる第１張出部６３だけが形成されている。そして、アッパーケース９の環状突出部５１が、上記フィルタ５の第１張出部６３より外周側に位置するように上記ロアケース７の第１嵌入溝部４１に嵌入されて第１張出部６３と並設されている。また、上記フィルタ５の第１張出部６３の外周側側面の第２突条シール部６７が、環状突出部５１の内周側側面に圧接している。また、第１張出部６３の先端は平坦な形状で第１嵌入溝部４１に当接していない。そのほかの構成は実施形態１と同じであるので、同一の構成箇所には同一の符号を付してその詳細な説明を省略する。
【００５１】
上記環状突出部５１の外周側側面及び外側周壁部３９の内周側側面が外側周壁部３９の第１突条シール部５９によりシールされていることに加え、フィルタ５の第１張出部６３の内周側側面と内側周壁部１８（第１周壁部１７）の外周側側面（第１嵌入溝部４１の内側側面）とが第２突条シール部６７によりシールされた２段階のシール構造及び上記第１張出部６３の外周側側面と環状突出部５１の内周側側面とが第２突条シール部６７によりシールされた２段階のシール構造により、ロアケース７とアッパーケース９との間のシール性を高めることができる。
【００５２】
以上説明したように、この実施形態３に係るオイルストレーナ１によれば、第１突条シール部５９及び第２突条シール部６７と、係止片部５７及び抜け止め爪部４７とを離して設けたので、実施形態１のものと同様に、ロアケース７とアッパーケース９との強固な結合と、両ケース７，９の間のシール性の確保とを両立させることができる。
【００５３】
なお、上記実施形態１では、第１突条シール部５９を外側周壁部３９の内周側側面に形成したが、該第１突条シール部５９は、上記外側周壁部３９の外周側側面及び最外周壁部４３の内周側側面、すなわち外側周壁部３９及び最外周壁部４３の対向する側面の一方に突設するようにしてもよい。
【００５４】
また、上記実施形態１では、フィルタ５の第１張出部６３の内外両側面のうちの一方にのみ第２突条シール部６７を形成するとともに、第２張出部６５の内外両側面のうちの一方にのみ第３突条シール部６８を形成するようにしてもよい。この場合も、第１突条シール部５９と第２突条シール部６７とによる２段階のシール構造、及び第１突条シール部５９と第３突条シール部６８とによる２段階のシール構造により、特許文献１の場合に比べてシール効果が向上する。
【００５５】
また、図８に示す変形例のように、実施形態１の変形例と同様な突出部２０，２６をロアケース７及びアッパーケース９に設け、樹脂充填溝２０ａ，２６ａに溶融状態の樹脂を充填させて両ケース７，９を結合させるようにしてもよい。
【００５６】
また、上記実施形態１〜３では、外側周壁部３９の内周側側面に第１突条シール部５９を突設したが、該第１突条シール部５９は、外側周壁部３９の内周側側面に圧接するように環状突出部５１の外周側側面に突設してもよい。
【００５７】
また、上記実施形態１〜３では、フィルタ５の第１張出部６３の両側面に第２突条シール部６７を突設したが、該第２突条シール部６７は、第１張出部６３の両側面に圧接するように第１嵌入溝部４１の側面や環状突出部５１の内周側側面に突設してもよい。
【００５８】
また、上記実施形態１〜３では、第１〜第３突条シール部５９，６７，６８を、対向する面のフラットな箇所に圧接させたが、当該箇所に第１〜第３突条シール部５９，６７，６８が嵌合する凹部を設けてシール性を確保するとともにロアケース７及びアッパーケース９の一方が他方に対して抜けることを防止するようにしてもよい。
【００５９】
《発明の実施形態４》
図９〜１１は、本発明の実施形態４に係るオイルストレーナ１を示す。以下、実施形態１と同一の構成箇所には同一の符号を付してその詳細な説明を省略する。
【００６０】
図１１に示すように、第１周壁部１７の開放端縁部１７ａから上記底壁部１５側に亘る所定の領域、すなわち本実施形態では上記第１フランジ部３７までの領域が内側周壁部３２を構成し、該内側周壁部３２と上記外側周壁部３９との間にロア側嵌入溝部３６が形成されている。該ロア側嵌入溝部３６の内側側面及び外側側面は平面状を呈しており、該ロア側嵌入溝部３６の開放端縁部１７ａから溝底部に至る溝幅Ｗ１は全周に亘って略一定になっている。
【００６１】
また、上記外側周壁部３９の端面３９ｄは、第１周壁部１７の開放端面１７ｂよりも若干開放側に突出し、該端面３９ｄには、内側斜面及び外側斜面を有する断面三角形状の凸部４８が全周に亘って一体に突設されている。
【００６２】
さらに、図１０に示すように、係止片部５７の周方向両端には、補強リブ５７ａが反開放側に延びるように一体に形成されている。
【００６３】
図１１に示すように、第２フランジ部４９の張出方向先端には、外側周壁部５６が全周に亘って開放側に向かって略垂直に突設されている。第２周壁部２３の開放端縁部２３ａから上記頂壁部２１側に亘る所定の領域、すなわち本実施形態では上記第２フランジ部４９までの領域が内側周壁部５８を構成し、該内側周壁部５８と上記外側周壁部５６との間にアッパー側嵌入溝部６０が形成されている。該アッパー側嵌入溝部６０の内側側面及び外側側面は平面状を呈しており、該アッパー側嵌入溝部６０の開放端縁部２３ａから溝底部に至る溝幅Ｗ２は全周に亘って略一定になっている。
【００６４】
また、上記外側周壁部５６の端面５６ａは、第２周壁部２３の開放端面２３ｂよりも若干開放側に突出し、該外側周壁部５６の端面５６ａには、上記凸部４８に対応するように、断面コ字状の凹部６２が全周に亘って形成されている。上記のように、第１周壁部１７の開放端面１７ｂが外側周壁部３９の端面３９ｄよりも反開放側に位置しているとともに、第２周壁部２３の開放端面２３ｂが外側周壁部５６の端面５６ａよりも反開放側に位置しているので、上記凸部４８が凹部６２の開口端縁に圧接した状態で、第１周壁部１７の開放端面１７ｂと第２周壁部２３の開放端面２３ｂとの間に、フィルタ本体６１の外周縁部６１ｂの厚みと同等の隙間が形成される。
【００６５】
フィルタ本体６１の外周縁部６１ｂには、板状第１張出部６３が上記ロアケース７のロア側嵌入溝部３６に嵌入するように全周に亘って上記フィルタ本体６１に対して略垂直に張出して形成されている。また、フィルタ本体６１の外周縁部６１ｂにおいて上記第１張出部６３の反対側には、板状第２張出部６５が上記アッパーケース９のアッパー側嵌入溝部６０に嵌入するように全周に亘って上記フィルタ本体６１に対して略垂直に張出して形成されている。上記第１張出部６３及び第２張出部６５の板厚は同等で、その内周面は互いに面一になるように形成されているとともにその外周面同士も面一になるように形成されている。上記第１張出部６３及び第２張出部６５の先端は、ロア側嵌入溝部３６、アッパー側嵌入溝部６０に挿入しやすいように先細り形状となっている。また、上記第１張出部６３の内側側面の張出方向中程には、ロア側嵌入溝部３６の内側側面に圧接するロア側内周突条シール部（第１内周突条シール部）７０が全周に亘って一体に形成され、上記第１張出部６３の外側側面の張出方向中程には、ロア側嵌入溝部３６の外側側面に圧接するロア側外周突条シール部（第１外周突条シール部）７１が全周に亘って一体に形成されている。同様に、上記第２張出部６５の内側側面の張出方向中程には、アッパー側嵌入溝部６０の内側側面に圧接するアッパー側内周突条シール部（第２内周突条シール部）７３が全周に亘って一体に形成され、上記第２張出部６５の外側側面の張出方向中程には、アッパー側嵌入溝部６０の外側側面に圧接するアッパー側外周突条シール部（第２外周突条シール部）７５が全周に亘って一体に形成されている。
【００６６】
そして、上記ロアケース７のロア側嵌入溝部３６にフィルタ５の第１張出部６３が嵌入するようにフィルタ５をロアケース７に載置し、次いで、フィルタ５の第２張出部６５がアッパーケース９のアッパー側嵌入溝部６０に嵌入するようにアッパーケース９をフィルタ５に被せるとともに、アッパーケース９の抜け止め爪部４７をロアケース７の係止片部５７の挿入孔５５に挿入して該挿入孔５５周縁に係止させる。これにより、上記ロアケース本体１１とアッパーケース本体１３との各々の開放側が向かい合い、内部に流路６９が形成され、かつ上記フィルタ本体６１の外周縁部６１ｂを上記ロアケース本体１１及びアッパーケース本体１３の第１及び第２周壁部１７，２３（内側周壁部３２，５８）の開放端縁部１６ａ，２３ａで挟持した状態でオイルストレーナ１が組み立てられる。
【００６７】
このように組み立てられたオイルストレーナ１では、上記ロア側嵌入溝部３６とアッパー側嵌入溝部６０とが対向し、上記ロア側嵌入溝部３６の内側側面とアッパー側嵌入溝部６０の内側側面とが面一になっているとともに、上記ロア側嵌入溝部３６の外側側面とアッパー側嵌入溝部６０の外側側面とが面一になっている。また、上記ロアケース本体１１の外側周壁部３９の端面３９ｄ及び上記アッパーケース本体１３の外側周壁部５６の端面５６ａが互いに対向し、ロアケース７の凸部４８の内側斜面がアッパーケース９の凹部６２の内側開口端縁に圧接するとともに、上記凸部４８の外側斜面が上記凹部６２の外側開口端縁に圧接している。また、フィルタ５の第１張出部６３のロア側内周突条シール部７０が、ロア側嵌入溝部３６の内側側面に圧接しているとともに、第１張出部６３のロア側外周突条シール部７１が、ロア側嵌入溝部３６の外側側面に圧接している。また、フィルタ５の第２張出部６５のアッパー側内周突条シール部７３が、アッパー側嵌入溝部６０の内側側面に圧接しているとともに、第２張出部６５のアッパー側外周突条シール部７５が、アッパー側嵌入溝部６０の外側側面に圧接している。
【００６８】
本実施形態のオイルストレーナ１では、上記ロア側嵌入溝部３６及び第１張出部６３の内側側面間と外側側面間との２箇所が、ロア側内周突条シール部７０及びロア側外周突条シール部７１の圧接により内外２重にシールされているとともに、上記アッパー側嵌入溝部６０及び第２張出部６５の内側側面間と外側側面間との２箇所が、アッパー側内周突条シール部７３及びアッパー側外周突条シール部７５の圧接により内外２重にシールされている。また、上記ロアケース本体１１及びアッパーケース本体１３の外側周壁部３９，５６の端面３９ｄ，５６ａ間が、上記凸部４８の内側斜面及び外側斜面を凹部６２の内側開口端縁及び外側開口端縁に圧接させることにより２箇所でシールされている。したがって、ロアケース７及びアッパーケース９が、それぞれこれらシール構造によりシールされていることによって、ロアケース７とアッパーケース９との間のシール性を高めることができる。
【００６９】
以上説明したように、この実施形態４に係るオイルストレーナ１によれば、ロア側内周突条シール部７０、ロア側外周突条シール部７１、アッパー側内周突条シール部７３及びアッパー側外周突条シール部７５と、係止片部５７及び抜け止め爪部４７とを離して設けたので、実施形態１と同様に、製造誤差を考慮しながら、ロアケース７とアッパーケース９との強固な結合と、両ケース７，９の間のシール性の確保とを両立させることができる。
【００７０】
また、本実施形態によれば、フィルタ５の第１張出部６３及び第２張出部６５にシール機能を構成したので、これら第１張出部６３及び第２張出部６５がロア側嵌入溝部３６及びアッパー側嵌入溝部６０に圧入状態で嵌入されるため、フィルタ５を強固に安定してロアケース７及びアッパーケース９間に保持することができる。
【００７１】
なお、本実施形態においては、ロア側嵌入溝部３６側面に圧接するロア側突条シール部として、ロア側内周突条シール部７０及びロア側外周突条シール部７１の両方を設けたが、凸部４８及び凹部６２によるシール構造を設けた場合いずれか一方のみでもよい。同様に、アッパー側嵌入溝部６０側面に圧接するアッパー側突条シール部として、アッパー側内周突条シール部７３及びアッパー側外周突条シール部７５の両方を設けたが、いずれか一方のみでもよい。また、凸部４８の内側斜面及び外側斜面のいずれか一方のみが、凹部６２の内側開口端縁又は外側開口端縁に圧接するようにしてもよい。また、ロア側内周突条シール部７０及びロア側外周突条シール部７１の両方と、アッパー側内周突条シール部７３及びアッパー側外周突条シール部７５の両方とを設けた場合には、凸部４８及び凹部６２を形成しなくてもよい。これらの場合も、２段階以上のシール構造により、特許文献１の場合に比べてシール効果が向上する。
【００７２】
また、本実施形態では、凸部４８を上記ロアケース本体１１の外側周壁部３９の端面３９ｄに形成するとともに、凹部６２を上記アッパーケース本体１３の外側周壁部５６の端面５６ａに形成したが、これとは逆に、凸部４８を上記アッパーケース本体１３の外側周壁部５６の端面５６ａに形成するとともに、凹部６２をロアケース本体１１の外側周壁部３９の端面３９ｄに形成してもよい。
【００７３】
また、本実施形態では、ロア側嵌入溝部３６及び第１張出部６３の互いに対向する内側側面及び外側側面の両方において、第１張出部６３側にロア側突条シール部（ロア側内周突条シール部７０及びロア側外周突条シール部７１）を形成したが、ロア側嵌入溝部３６側にロア側突条シール部を形成するとともに第１張出部６３の内外両側面を平面状に形成してもよい。また、ロアケース本体１１及びアッパーケース本体１３の一方の外側周壁部端面に凹部６２が全周に亘って形成されるとともに他方の外側周壁部端面には、上記凹部６２の内側開口端縁及び外側開口端縁の少なくとも一方に圧接する凸部４８が全周に亘って突設されていることを条件とし、ロア側嵌入溝部３６及び第１張出部６３の互いに対向する内側側面及び外側側面の一方のみにロア側突条シール部を設ける場合にも、同様に、ロア側嵌入溝部３６側にロア側突条シール部を形成するとともに第１張出部６３の内外両側面を平面状に形成してもよい。さらに同様に、本実施形態では、アッパー側嵌入溝部６０及び第２張出部６５の互いに対向する内側側面及び外側側面の両方において、第２張出部６５側にアッパー側突条シール部（アッパー側内周突条シール部７３及びアッパー側外周突条シール部７５）を形成したが、アッパー側嵌入溝部６０側にアッパー側突条シール部を形成するとともに第２張出部６５の内外両側面を平面状に形成してもよい。また、上記条件を前提とし、アッパー側嵌入溝部６０及び第２張出部６５の互いに対向する内側側面及び外側側面の一方のみにアッパー側突条シール部を設ける場合にも、同様に、アッパー側嵌入溝部６０側にアッパー側突条シール部を形成するとともに第２張出部６５の内外両側面を平面状に形成してもよい。
【００７４】
また、図１２に示す変形例のように、実施形態１の変形例と同様な突出部２０，２６をロアケース７及びアッパーケース９に設け、樹脂充填溝２０ａ，２６ａに溶融状態の樹脂を充填させて両ケース７，９を樹脂Ａにより結合させるようにしてもよい。
【００７５】
《発明の実施形態５》
図１３〜１５は、本発明の実施形態５に係るオイルストレーナ１を示す。以下、実施形態１と同一の構成箇所には同一の符号を付してその詳細な説明を省略する。
【００７６】
図１５に示すように、ロアケース本体１１の第１周壁部１７における開放端縁側には、突起部１６が開放側に向かって突出するように全周に亘って一体に形成されている。第１フランジ部３７の張出方向先端には、第１延出壁部４２が上記突起部１６の外側方で突起部１６よりも開放側に延出するように全周に亘って略垂直に一体に形成されている。該第１延出壁部４２の先端には、該先端の内外両側縁の傾斜が異なって変形可能なように先細り形状の可撓性シール部４０が形成されている。また、上記第１延出壁部４２の突出方向中程の内側側面には、突条シール部４４が全周に亘って連続して一体に突設されている。また、上記第１延出壁部４２と上記突起部１６との間には第１嵌入溝部４６が形成され、該第１嵌入溝部４６の内側側面４６ａは、溝幅が開放側に行くに従って漸次広くなるように傾斜して形成されている。また、係止片部５７の周方向両端には、互いに平行に突出する板状第１補強リブ５７ｂが反開放側に延びるように一体に形成されているとともに、該係止片部５７の突出方向先端には、板状第２補強リブ５７ｃが上記第１補強リブ５７ｂと連続するように反開放側に向かって一体に突設されている。
【００７７】
一方、アッパーケース本体１３の第２周壁部２３における開放端縁側には、突起部２２が開放側に向かって突出するように全周に亘って一体に形成されている。該第２フランジ部４９の張出方向基端側には、第２延出壁部７６が上記突起部２２よりも外側方で開放側に延出するように全周に亘って略垂直に一体に形成されている。該第２延出壁部７６と上記突起部２２との間には、断面三角形状の三角溝７７が形成され、該三角溝７７の内側側面７７ａは、溝幅が開放側に行くに従って漸次広くなるように傾斜している。また、上記第２フランジ部４９の張出方向先端には、第３延出壁部７８が上記第２延出壁部７６の外側方で開放側に延出するように全周に亘って略垂直に形成され、該第３延出壁部７８の延出端面７８ａは第２延出壁部７６の延出端面７６ａと略面一になっている。また、第３延出壁部７８の先端には、上記係止片部５７の挿入孔５５に対応するように８つの抜け止め爪部４７が周方向に所定の間隔をあけて開放側に向かって突設されている。さらに、上記第３延出壁部７８と上記第２延出壁部７６との間には第２嵌入溝部７９が形成され、該第２嵌入溝部７９の開放側から溝底部に至る溝幅Ｗ３は全周に亘って略一定になっている。
【００７８】
上記フィルタ５のフィルタ本体６１の外周縁部の表裏両側には、フィルタ周壁部６４がフィルタ本体６１に対して略垂直に全周に亘って連続して一体に張出して形成されている。表裏両側のフィルタ周壁部６４の張出長さ及び板厚は同等であり、その内周面及び外周面は互いに面一になっている。また、上記フィルタ周壁部６４の突出端の内側には、全周に亘って連続して移動規制部６６が突設されている。
【００７９】
ここで、上記のように第１延出壁部４２には突条シール部４４が形成され、該突条シール部４４によって第２延出壁部７６が、該第２延出壁部７６の基端部を支点としてその先端部が内側方向に撓み、該第２延出壁部７６の開放側内側端縁７６ｂ、つまり上記延出端面７６ａと当該第２延出壁部７６の内側側面との交差部（コーナ部）が、第１嵌入溝部４６の内側側面４６ａに圧接するように構成されている。これにより、上記突条シール部４４により第２延出壁部７６の上記撓みを容易にするために、突条シール部４４の形成位置を第２延出壁部７６の延出端面７６ａ近傍にすることが好ましい。また、第２延出壁部７６の上記開放側内側端縁７６ｂが圧接する第１嵌入溝部４６の内側側面４６ａは、第２延出壁部７６の撓みによって上記開放側内側端縁７６ｂが圧接するような傾斜面であることが必要である。
【００８０】
次に、上記のように構成されたオイルストレーナ１の組み立て手順を説明する。
【００８１】
まず、上記ロアケース７の突起部１６の突出端面に上記フィルタ５のフィルタ周壁部６４の張出端面の移動規制部６６より外側の部分が当接するようにフィルタ５をロアケース７に載置する。この状態で、フィルタ５がロアケース７に対してフィルタ本体６１の板面に沿う方向へ移動することが移動規制部６６によって規制される。次いで、アッパーケース９の抜け止め爪部４７をロアケース７の係止片部５７の挿入孔５５に対応させて、アッパーケース９の第２延出壁部７６がロアケース７の第１嵌入溝部４６に嵌入されるとともにロアケース７の第１延出壁部４６がアッパーケース９の第２嵌入溝部７９に嵌入されるようにアッパーケース９をフィルタ５及びロアケース７に被せる。この際、上記抜け止め爪部４７が上記挿入孔５５に挿入して該挿入孔５周縁に係止させる。これにより、上記ロアケース本体１１とアッパーケース本体１３との各々の開放側が向かい合い、内部に流路６９が形成され、かつ上記フィルタ５の外周縁部を上記ロアケース本体１１及びアッパーケース本体１３の第１及び第２周壁部１７，２３の開放端縁部１６ａ，２３ａ間に介在させた状態でオイルストレーナ１が組み付けられる。
【００８２】
このように組み立てられたオイルストレーナ１では、第２嵌入溝部７９及び第１延出壁部４２の内側側面間が、突条シール部４４による圧接によりシールされている。また、該突条シール部４４の圧接により第２延出壁部７６が第１延出壁部４２によって内側方向へ押圧され、第２延出壁部７６の開放側内側端縁７６ｂが上記第１嵌入溝部４６の内側側面４６ａに強く圧接し、該開放側内側端縁７６ｂと内側側面４６ａとの間がシールされている。さらに、第２嵌入溝部７９及び第１延出壁部４２の外側側面間が互いに圧接してシールされ、可撓性シール部４０先端が、第２嵌入溝部７９の底面に圧接してシールされている。したがって、これらシール構造により、ロアケース７とアッパーケース９との間のシール性を高めることができる。また、第３延出壁部７８の外側側面が、上記係止片部５７の挿入孔５５の外側周縁に圧接している。
【００８３】
以上説明したように、この実施形態５に係るオイルストレーナ１によれば、突条シール部４４及び可撓性シール部４０と、係止片部５７及び抜け止め爪部４７とを離して設けたので、実施形態１のものと同様に、ロアケース７とアッパーケース９との強固な結合と、両ケース７，９の間のシール性の確保とを両立させることができる。
【００８４】
なお、上記実施形態では、第１嵌入溝部４６及び第１延出壁部４２をロアケース７に設けるとともに第２嵌入溝部７９、第２延出壁部７６、及び第３延出壁部７８をアッパーケース９に設けたが、これとは逆に、第１嵌入溝部４６及び第１延出壁部４２をアッパーケース９に設けるとともに第２嵌入溝部７９、第２延出壁部７６、及び第３延出壁部７８をロアケース７に設けてもよい。
【００８５】
また、上記実施形態では、突条シール部４４を第１延出壁部４２の内側側面に形成し、第１延出壁部４２の外側側面を平面状に形成したが、第１延出壁部４２の内側側面を平面状に形成し、第２嵌入溝部７９の内側側面に突条シール部４４を形成してもよい。すなわち、突条シール部４４を、上記第２嵌入溝部７９及び第１延出壁部４２の互いに対向する内側側面における第１延出壁部４２側ではなく、第２嵌入溝部７９側に形成してもよい。
【００８６】
また、第１延出壁部４２の内側側面を平面状に形成し、上記突条シール部４４を上記第２嵌入溝部７９及び第１延出壁部４２の互いに対向する外側側面における上記第２嵌入溝部７９側又は第１延出壁部４２側に形成してもよい。この場合でも、第１延出壁部４２の内側側面が第２延出壁部７６の外側側面に圧接していれば、第１延出壁部４２によって第２延出壁部７６が内側方向に押圧され、第２延出壁部７６の開放側内側端縁７６ｂが上記第１嵌入溝部４６の内側側面４６ａにより強く圧接する。
【００８７】
また、上記実施形態では、突条シール部４４を第１延出壁部４２に全周に亘って連続して設けたが、間欠的に不連続に設けてもよい。
【００８８】
また、上記実施形態では、アッパーケース９における第２延出壁部７６の基端部内側に三角溝７７を形成したが、該三角溝７７を形成することなく、アッパーケース９の開放端縁部２２ａと第２延出壁部７６の基端部内側とが直交するようにしてもよい。
【００８９】
また、上記実施形態では、第１延出壁部４２の先端に可撓性シール部４０を設けていたが、必ずしも設けなくてもよく、第１延出壁部４２の先端を第２嵌入溝部７９の底面に当接しないように平坦に形成してもよい。
【００９０】
また、上記実施形態では、フィルタ５がフィルタ周壁部６４を有していたが、フィルタ５が板状フィルタ本体６１のみによって構成され、該フィルタ本体６１の外周縁部がロアケース本体１１及びアッパーケース本体１３の第１及び第２周壁部１７，２３の開放端縁部１６ａ，２３ａで直接挟持されるようにしてもよい。
【００９１】
また、図１６に示す変形例１のように、実施形態１の変形例と同様な突出部２０，２６をロアケース７及びアッパーケース９に設け、樹脂充填溝２０ａ，２６ａに溶融状態の樹脂を充填させて両ケース７，９を樹脂Ａにより結合させるようにしてもよい。
【００９２】
また、図１７に示す変形例２のように、突条シール部４４を第１延出壁部４２の外側側面に設けてもよい。この変形例２では、樹脂充填溝２０ａの内側壁２０ｄと、樹脂充填溝２６ａの内側壁２６ｄとが内外方向に重なり合っている。内側壁２０ｄの内側壁２６ｄと接する面は、その先端側へ行くほど樹脂充填溝２６ａ側に位置するように傾斜している。また、内側壁２６ｄの内側壁２０ｄと接する面は、その先端側へ行くほど樹脂充填溝２０ａから離れるように傾斜している。また、突条シール部４４の先端は、内側壁２６ｄに当接している。内側壁２０ｄと内側壁２６ａとの互いに接する面が上記のように傾斜していることにより、ロアケース７とアッパーケース９とを合わせた際に、内側壁２６ｄを内側壁２０ｄによって突条シール部４４側へ押し、これにより、突条シール部４４によるシール性がより一層向上する。
【００９３】
また、本発明は、エンジン以外にも自動変速機等の各種動力機械に用いることが可能である。
【産業上の利用可能性】
【００９４】
以上説明したように、本発明に係るストレーナは、例えば、エンジンや自動変速機に配設するのに適している。
【図面の簡単な説明】
【００９５】
【図１】実施形態１に係るオイルストレーナの斜視図である。
【図２】実施形態１のオイルストレーナの分解斜視図である。
【図３】図１におけるIII−III線断面図である。
【図４】実施形態１の変形例に係る図３相当図である。
【図５】実施形態２に係る図３相当図である。
【図６】実施形態２の変形例に係る図３相当図である。
【図７】実施形態３に係る図３相当図である。
【図８】実施形態３の変形例に係る図３相当図である。
【図９】実施形態４に係る図１相当図である。
【図１０】実施形態４に係る図２相当図である。
【図１１】図９におけるXI−XI線断面図である。
【図１２】実施形態４の変形例に係る図１１相当図である。
【図１３】実施形態５に係る図１相当図である。
【図１４】実施形態５に係る図２相当図である。
【図１５】図１３におけるXV−XVに係る図１相当図である。
【図１６】実施形態５の変形例１に係る図１５相当図である。
【図１７】実施形態５の変形例２に係る図１５相当図である。
【符号の説明】
【００９６】
１            ストレーナ
３            ケース
５            フィルタ
７            ロアケース（第１分割体）
９            アッパーケース（第２分割体）
１６          突起部
１７          第１周壁部
１８          内側周壁部
２０          突出部（結合部）
２３          第２周壁部
２４          内側周壁部
２８          流入口
２９ａ        流出口
３９          外側周壁部
４０          可撓性シール部
４１          第１嵌入溝部
４２          第１延出壁部
４３          最外周壁部
４４          突条シール部
４５          第３嵌入溝部
４８          凸部
５１          環状突出部
５３          第２嵌入溝部
５７          係止片部（結合部）
５９          第１突条シール部
６１          フィルタ本体
６１ａ        細孔
６２          凹部
６３          第１張出部
６５          第２張出部
６７          第２突条シール部
６８          第３突条シール部
６９          流路
７０          ロア側内周突条シール部（第１内周突条シール部）
７１          ロア側外周突条シール部（第１外周突条シール部）
７３          アッパー側内周突条シール部（第２内周突条シール部）
７５          アッパー側外周突条シール部（第２外周突条シール部）
７６          第２延出壁部
７８          第３延出壁部
Ａ            樹脂
【図１】
2010099646.tif 000003
【図２】
2010099646.tif 000004
【図３】
2010099646.tif 000005
【図４】
2010099646.tif 000006
【図５】
2010099646.tif 000007
【図６】
2010099646.tif 000008
【図７】
2010099646.tif 000009
【図８】
2010099646.tif 000010
【図９】
2010099646.tif 000011
【図１０】
2010099646.tif 000012
【図１１】
2010099646.tif 000013
【図１２】
2010099646.tif 000014
【図１３】
2010099646.tif 000015
【図１４】
2010099646.tif 000016
【図１５】
2010099646.tif 000017
【図１６】
2010099646.tif 000018
【図１７】
2010099646.tif 000019